(57)【特許請求の範囲】
【請求項１】
バイオマスを一定量保持して加熱体で加熱し、１〜５ＭＰａの圧力範囲でガス化するガス化部と、
前記ガス化部により発生した一酸化炭素及び水素の混合ガスであるバイオマスガスから粒子状物質、タール、硫黄化合物および窒素化合物から選択される少なくとも１つ以上の物質を除去し、前記バイオマスガスを精製するガス精製部と、
前記精製されたバイオマス精製ガスを触媒反応により液体化して炭化水素であるバイオマス液体燃料原液を製造する液体燃料製造部と、
前記バイオマス液体燃料原液をバイオマス液体燃料、水および軽質炭化水素に分離する気液分離部と、
前記気液分離部で分離されたバイオマス液体燃料を減圧して回収する減圧回収部と、
前記ガス化部でガス化されない未反応物を燃焼させ、発生した熱を前記ガス化部へ供給する燃焼部と、からなり、
前記ガス化から前記液体化までの圧力を一定に保ち、前記バイオマスガス又は前記バイオマス精製ガスを昇圧させるための加圧装置を有しないことを特徴とするバイオマスからの液体燃料製造装置。
【請求項２】
請求項１に記載したバイオマスからの液体燃料製造装置であって、
前記ガス化部は、バイオマスが含む水分を含む供給水蒸気とバイオマス中の炭素のモル比を０から１の範囲でガス化し、
前記液体燃料製造装置は、前記バイオマスガス又は前記バイオマス精製ガスの熱を回収する熱交換器を有しないことを特徴とするバイオマスからの液体燃料製造装置。
【請求項３】
請求項１又は２に記載したバイオマスからの液体燃料製造装置であって、
前記ガス化部は、前記バイオマスを前記加熱体により６００〜１０００℃の温度で加熱し、
前記ガス精製部は、前記バイオマスガスから粒子状物質、タール、硫黄化合物および窒素化合物から選択される少なくとも１つ以上の物質を２００〜９００℃の温度で除去し、
前記液体燃料製造部は、精製した前記バイオマス精製ガスを触媒反応により１００〜４００℃の温度で液体化し、
前記液体燃料製造装置は、前記バイオマスガス又は前記バイオマス精製ガスを再加熱するための機構を有しないことを特徴とするバイオマスからの液体燃料製造装置。
【請求項４】
請求項３に記載したバイオマスからの液体燃料製造装置であって、
前記気液分離部は、気液分離を室温から１００℃の温度で行うことを特徴とするバイオマスからの液体燃料製造装置。
【請求項５】
請求項３又は４に記載したバイオマスからの液体燃料製造装置であって、
前記触媒反応は、Ｆｅ、Ｃｏ、及びＲｕ系触媒から選択される１の触媒で反応させることを特徴とするバイオマスからの液体燃料製造装置。
【請求項６】
請求項１ないし５から選択される１項に記載したバイオマスからの液体燃料製造装置であって、
前記液体燃料製造装置の下部に据え付け台を設け、前記据え付け台を介して前記液体燃料製造装置を運搬できるようにしたことを特徴とするバイオマスからの液体燃料製造装置。
【請求項７】
請求項１ないし５から選択される１項に記載したバイオマスからの液体燃料製造装置であって、
前記液体燃料製造装置の下部に移動台車を設け、前記移動台車を介して前記液体燃料製造装置を移動できるようにしたことを特徴とするバイオマスからの液体燃料製造装置。
【発明の詳細な説明】
【技術分野】
【０００１】
本発明は、バイオマスをガス化して液体燃料を製造する装置に関する。更に詳しくは、バイオマス、例えば未利用樹、間伐材、製材残材、流木材、剪定材などの木質系バイオマス、建築廃材、下水汚泥、鶏糞、牛糞、ＲＤＦなどの廃棄物系バイオマス、雑草、牧草、サトウキビなどの草本系バイオマスを原料として、これを効率的にガス化し液体化して液体燃料を得るためのバイオマスからの液体燃料製造装置に関する。
【背景技術】
【０００２】
液体燃料対象のバイオマスとは一般的に、エネルギー源として利用することのできる生物体を指し、太陽エネルギーを利用し、生成される再生可能なエネルギーの一つである。また、バイオマスはエネルギーに転換可能な唯一の再生可能な有機物である。
【０００３】
現在、我々が使用している１次エネルギーの３０％以上が石油であり、その４０％以上は輸送用液体燃料である。したがって液体燃料を、再生可能なバイオマスから製造することは大変有用である。バイオマスから液体燃料を製造することは、いくつかの技術の組み合わせで実現可能であり、従来から行われている。その中で、バイオマスをガス化し、ＣＯと水素を得て、触媒反応により液体燃料を製造することも行われており、その技術が注目されている。次に、従来行われている液体燃料を製造するための技術について説明する。
【０００４】
バイオマスは、木質系、廃棄物系および草本系と多種多様な形態のものがある。一方で、液体燃料製造工程ではＣＯと水素が必要となる。ここで、ガス化を経由してバイオマスから液体燃料を製造するプロセスは、バイオマスの種類に依らずＣＯと水素を得られる点で、他のプロセスよりも簡素化できる可能性がある。
バイオマスをガス化する場合、ガス収率、タールの生成量はガス化炉形式、ガス化剤、反応条件に大きく依存している。
【０００５】
ガス化炉形式は大きく分けて、固定床、流動床、噴流床がある。固定床は構造がシンプルで装置コストが安く、小規模向きである。ダウンドラフトとアップドラフトを比較すると、ダウンドラフトはアップドラフトよりもタール生成量が低い。流動床は中規模向きであるが、ガス化炉内のベッドの流動化を保つために、最小流動化速度の３倍以上に相当するプロセスフローガスを供給する必要があり、結果的にガス化ガス中には高濃度に窒素が含まれる。
【０００６】
また、タールの生成量も高い。噴流床は規模に依存せず、タールの生成量が低いという利点があるが、ガス化原料を粉砕する動力が必要であり、ガス化炉内で粉体を浮遊させるプロセスフローガスが必要であるため、流動床同様、ガス化ガス中には高濃度の窒素が含まれる。
【０００７】
また、代表的なガス化剤として、空気、二酸化炭素、水蒸気がある。空気を用いる場合は、外熱が不要であり、ガス化速度も速く、ガス収率も高い利点があるが、ガス化ガス中に窒素が混入する。また、酸素を用いる場合は同様の利点があるが、空気から窒素を分離するコストが高い。
【０００８】
二酸化炭素を用いる場合は、ガス化ガス中に窒素が混入しない、後段に液体燃料製造工程が続く場合、ガス化ガスの冷却工程が不要である利点があるが、外熱が必要で、反応速度が遅い。さらに、後段に液体燃料製造工程が続く場合、水素/ＣＯ比が低いため、液体燃料の収率が低くなる。水蒸気を用いる場合は、ガス化ガス中にプロセスフローガスとしての窒素の混入が低く、水素／ＣＯ比の高いガスが得られる。しかし、外熱が必要であり、過剰な水蒸気の使用はガス化ガス中の水蒸気分率が高くなるため、水として除去する冷却工程が必要となる。
【０００９】
ガス精製工程では、不純物を溶媒、特に水に溶解させる湿式法、水を使わない乾式法に大別できる。一般的には湿式法が用いられている。しかし、処理設備が巨大であること、さらに廃水処理のコストの点から、全体のプロセスのイニシャルコストおよびランニングコストを増大させている。
【００１０】
乾式法に関しては、圧力が大気圧、温度が１３０℃以下でガス化ガスに含まれるタール、粒子状物質を除去する方法が報告されている（例えば、非特許文献１、２参照）。これはサイクロンを用いて集塵する方法や砂や活性炭といった吸着剤を用いた方法である。湿式法および乾式法のいずれの除去方法も、精製ガス温度が１３０℃以下となるため、後段に続くプロセスが、精製ガス温度以上での反応温度が必要な場合、再加熱するための工程が必要となる。
【００１１】
また、これまでのガス精製方法は、大気圧付近で行われるため、後段のプロセスが液体燃料製造および膜分離など、加圧条件下で操業する場合は、ガスを圧縮する動力の投入が必要となる。それに従い、圧縮機が必要であり、プロセスのイニシャルコストの増大をもたらしている。また、ガス化ガスおよび精製後のガスの熱を回収する熱交換器を備えているものもあるが、熱交換器設置のためのイニシャルコストが増加する。
【００１２】
ガス化を経由するバイオマスからの液体燃料製造プロセスにおいては、有機系廃棄物をガス化し、ガス精製後、メタノールを製造する装置も発案されている。ＣＯと水素から液体燃料を製造する場合、平衡収率は数メガパスカル程度の加圧条件下が望ましい。しかし、従来の技術は圧力条件が限定されておらず、常圧の条件下では、高いメタノールを得るのが困難である。又、ガス化ガス及び精製後のガスの熱を回収する熱交換器を備えているものもあるが、熱交換器設置のためのイニシャルコストが増加する。さらに、精製ガスを昇圧する動力は、プロセスに投入するエネルギーの増大をもたらす。したがって、ブースタ装置設置のためイニシャルコストも増加する。
【００１３】
次に本発明に関わる具体的な従来例について説明する。バイオマスを燃焼させてガス化する技術においては、例えば酸素ガスを有する部分燃焼用ガスとバイオマスとを反応させ、バイオマスを部分燃焼させた後に、水蒸気を有するガス化用ガスと反応させバイオマスをガス化させる技術が知られている（例えば特許文献１参照）。
【００１４】
又、バイオマスを燃焼させるに際し、相反するバイオマスの発熱反応とバイオマスの吸熱反応とをそれぞれ分離させた燃焼空間中とガス化空間中とにおいて、それぞれ行うようにした技術も開示されている（例えば特許文献２参照）。
【００１５】
圧縮精製する技術としては、例えば圧力スウィング吸着精製装置に適用され、ガスの一部を昇圧ガスの残部と膜分離精製装置で精製された後圧縮機により昇圧されたガスを導入し精製する技術が知られている（例えば特許文献３参照）。
【００１６】
メタノールを製造する技術においては、バイオマスをガス化して得られたガスを冷却してメタノール合成し、熱交換手段により外部から供給された水と熱交換して高温水蒸気を発生させ、これを精製してメタノール燃料を製造する技術が知られている（例えば特許文献４参照）。
【００１７】
又、バイオマスをガス化させるに際し、生成ガスに太陽光発電設備や風力発電設備で発電した電力により、水を水電解装置で電気分解し、生成ガス中の水素量を一酸化炭素量に対し２倍以上になるように水素ガスを供給しメタノールを製造する技術が知られている（例えば特許文献５参照）。
【００１８】
更に、バイオマスのガス化によって得られた水素と一酸化炭素を含むガスをガスタンクに貯蔵し、加圧ポンプで０．５〜５．０ＭＰａに加圧した後、触媒を充填したメタノール合成部で生成したメタノールガスを冷却しメタノールを得る技術も知られている（例えば特許文献６参照）。
【００１９】
バイオマスをガス化する一連の装置を移動可能に構成した技術として、例えば粉砕されたバイオマスを一時貯蔵する工程の構成機器を搭載した移動車と、バイオマスをガス化した精製ガスの製造に伴う工程の構成機器を搭載した移動車として構成されたものが知られている（例えば特許文献７参照）。
【００２０】
さらにチャーを燃焼させる技術として、ガス化の触媒として粘土を使用するものであるが、チャーを燃焼させてバイオマスを補助的に加熱しガス化を促進させる技術が開示され、また、一酸化炭素及び水素を含むバイオマスガスを必要に応じてシフト反応装置により成分調整して二酸化炭素を除去した後、メタノール合成反応を行いメタノールを製造する技術も開示されている（例えば特許文献８参照）。
【００２１】
【特許文献１】特開２００２−２３５０９１号公報
【特許文献２】特開２００２−８８３７９号公報
【特許文献３】特開平６−２１０１２０号公報
【特許文献４】特開２００１−２４０８７８号公報
【特許文献５】特開２００２−１９３８５８号公報
【特許文献６】特開２００５−１３２７３９号公報
【特許文献７】特開平９−１７６６６４号公報
【特許文献８】特開２００３−４１２６８号公報
【非特許文献１】Hasler, P., and Nussbaumer, T., Biomass & Bioenergy, 16, 385 (1999)
【非特許文献２】Devi, L., Ptasinski, K. J., and Janssen, F. J. J. G., Biomass & Bioenergy, 24, 125 (2003)
【発明の開示】
【発明が解決しようとする課題】
【００２２】
ガス化ガスおよび精製ガスを圧縮する工程は、プロセスのイニシャルコストおよび投入エネルギーの増加をもたらすため、圧縮行程を省略する必要がある。
ガス化工程でＣＯと水素を得るためには、通常ガス化剤として水蒸気を用いるが、イニシャルコスト増加の原因である冷却・水分離工程が不要な程度の水蒸気の投入にとどめる必要がある。
【００２３】
ＣＯと水素から液体燃料を製造する場合、前述のように平衡収率は数メガパスカル程度の加圧条件下が望ましい。しかし、例えば前記特許文献例の場合は圧力条件が限定されておらず、仮に常圧の条件では、高いメタノール収率は得られない。このように従来の技術において、個々の技術においては適用できる条件のものもあるが、バイオマスをガス化して液体燃料を製造する全過程において必ずしも効率的に行われているとはいい難い。
【００２４】
液体燃料製造工程では、高い合成ガス（ＣＯ＋水素）分圧が望ましいため、窒素、酸素、二酸化炭素、水蒸気濃度が低い、あるいは全くない精製ガスが得られる工程が必要である。更に、バイオマスをなるべく無駄のない構成でガス化し、液体燃料を効率的に製造する工程でなければならない。本発明は、かかる実状を背景に、前述の問題点を克服するためになされたものである。
【００２５】
即ち、本発明の目的は、ガス化を経由する液体燃料製造プロセスのイニシャルコストを増大させる要因であるガス圧縮装置、熱交換器を使用せず、投入エネルギーを増大させる要因であるガス化に必要な熱量を少なくし、ガス圧縮動力および液体燃料収率を低下させる要因である液体燃料合成工程での窒素、酸素、水蒸気、二酸化炭素等の濃度を低くしたバイオマスからの液体燃料製造装置を提供することにある。
【００２６】
本発明の他の目的は、バイオマスをガス化し液体燃料を製造する一連の工程を能率的にするため、未反応物を同装置内で再度循環させ、無駄なく効率的に再使用する構成にしたバイオマスからの液体燃料製造装置を提供することにある。
【課題を解決するための手段】
【００２７】
かくして、本発明者はこのような課題背景に対して、鋭意研究を重ねた結果、ガス化ガスおよび精製ガスの加圧工程を含まず、圧縮動力およびこれに係る設備、および熱交換器が不要で、最低限度の窒素しか使用せず、プラントのイニシャルコストおよび投入エネルギーを低減しつつ、高い液体燃料の収率が得られるシンプルなプロセスを見出し、この知見に基いて本発明を完成させたものである。次にその具体的な手段について説明する。
【００２８】
本発明１のバイオマスからの液体燃料製造装置は、バイオマスを一定量保持して加熱体で加熱し、１〜５ＭＰａの圧力範囲でガス化するガス化部と、前記ガス化部により発生した一酸化炭素及び水素の混合ガスであるバイオマスガスから粒子状物質、タール、硫黄化合物および窒素化合物から選択される少なくとも１つ以上の物質を除去し、前記バイオマスガスを精製するガス精製部と、前記精製されたバイオマス精製ガスを触媒反応により液体化して炭化水素であるバイオマス液体燃料原液を製造する液体燃料製造部と、前記バイオマス液体燃料原液をバイオマス液体燃料、水および軽質炭化水素に分離する気液分離部と、前記気液分離部で分離されたバイオマス液体燃料を減圧して回収する減圧回収部と、前記ガス化部でガス化されない未反応物を燃焼させ、発生した熱を前記ガス化部へ供給する燃焼部と、からなり、前記ガス化から前記液体化までの圧力を一定に保ち、前記バイオマスガス又は前記バイオマス精製ガスを昇圧させるための加圧装置を有しないことを特徴とする。
【００２９】
本発明２のバイオマスからの液体燃料製造装置は、本発明１のバイオマスからの液体燃料製造装置であって、前記ガス化部は、バイオマスが含む水分を含む供給水蒸気とバイオマス中の炭素のモル比を０から１の範囲でガス化し、前記液体燃料製造装置は、前記バイオマスガス又は前記バイオマス精製ガスの熱を回収する熱交換器を有しないことを特徴とする。
【００３０】
本発明３のバイオマスからの液体燃料製造装置は、本発明１又は２のバイオマスからの液体燃料製造装置であって、前記ガス化部は、前記バイオマスを前記加熱体により６００〜１０００℃の温度で加熱し、前記ガス精製部は、前記バイオマスガスから粒子状物質、タール、硫黄化合物および窒素化合物から選択される少なくとも１つ以上の物質を２００〜９００℃の温度で除去し、前記液体燃料製造部は、精製した前記バイオマス精製ガスを触媒反応により１００〜４００℃の温度で液体化し、前記液体燃料製造装置は、前記バイオマスガス又は前記バイオマス精製ガスを再加熱するための機構を有しないことを特徴とする。本発明３においてバイオマスの加熱温度は、７００〜８００℃が好ましい。
【００３１】
本発明４のバイオマスからの液体燃料製造装置は、本発明３のバイオマスからの液体燃料製造装置であって、前記気液分離部は、気液分離を室温から１００℃の温度で行うことを特徴とする。
【００３２】
本発明５のバイオマスからの液体燃料製造装置は、本発明３又は４のバイオマスからの液体燃料製造装置であって、前記触媒反応は、Ｆｅ、Ｃｏ、及びＲｕ系触媒から選択される１の触媒で反応させることを特徴とする。一般的な触媒反応を利用した液体燃料製造工程において、用いる触媒の種類を変えることで、メタノール、ジメチルエーテル、ガソリン、灯油および軽油といった炭化水素を製造することができる。例えば、メタノールはＣｕ−Ｚｎ系触媒を用いて、以下のような反応式で合成される。
ＣＯ＋２Ｈ２→ＣＨ３Ｏ （１）
【００３３】
また、ジメチルエーテルは前記メタノール２分子を脱水した構造を有しているため、脱水用触媒としてγ−アルミナを添加することで、以下のような総括反応式により得られる。
３ＣＯ＋３Ｈ２→ＣＨ３ＯＣＨ３＋ＣＯ２   （２）
【００３４】
また、ガソリン、灯油および軽油といった炭化水素の製造は、Ｆｅ、Ｃｏ、Ｒｕ系触媒を用いて、以下のような反応式で表される。
ｎＣＯ＋２ｎＨ２→ＣｎＨ２ｎ＋ｎＨ２Ｏ  （３）
【００３５】
本発明６のバイオマスからの液体燃料製造装置は、本発明１ないし５から選択される１のバイオマスからの液体燃料製造装置であって、前記液体燃料製造装置の下部に据え付け台を設け、前記据え付け台を介して前記液体燃料製造装置を運搬できるようにしたことを特徴とする。
【００３６】
本発明７のバイオマスからの液体燃料製造装置は、本発明１ないし５から選択される１のバイオマスからの液体燃料製造装置であって、  前記液体燃料製造装置の下部に移動台車を設け、前記移動台車を介して前記液体燃料製造装置を移動できるようにしたことを特徴とする。
【００３７】
本発明１から７において、前記ガス化部底部にタール分解用触媒を設けるようにすることができる。バイオマスをガス化部では半バッチ処理で行う。半バッチ処理とは、ガス化炉を開け原料バイオマスを投入後、加熱し、所定の圧力に上昇させた後、最低限の窒素、あるいは二酸化炭素、あるいはリサイクルガスを流通させガス化反応を進行させることを意味する。
【００３８】
さらに前記タール分解用触媒は、ドロマイト、ＣａＯ、Ｎｉ系触媒、Ｒｈ系触媒から選択される１の触媒とすることができる。例えばドロマイトは珊等が海底に堆積して石灰石になった後、カルシウムの一部が海水中のマグネシウムと置き換わって得られたものである。カルシウムとマグネシウムがバイオマスに作用しタール分解する。
【００３９】
本発明１から７において、前記ガス化部を複数有し、これら複数のガス化部から所要のガス化部を選択しガス精製部に接続することにより複数のガス化部を順次稼動させることができる。
【００４０】
本発明１から７において、前記ガス精製部を２つ有し、一方のガス精製部の吸着剤が破過する前に他方のガス精製部に流路を切り替えることができ、交互に使用が可能な構造を有するようにすることができる。
【００４１】
本発明１から７において、前記液体燃料製造部は、液体化できなかった未反応前記バイオマスガスを再度液体化処理できる構成にすることができる。
【００４２】
本発明１から７において、前記気液分離部は、気液分離できなかった未反応バイオマスガスを再度ガス化処理できるように前記ガス化部へ送り込む構成にすることができる。
【００４３】
本発明１から７において、前記気液分離部は、気液分離できなかった未反応バイオマスガスを再度液化処理できるように前記液体燃料製造部へ送り込む構成にすることができる。
【００４４】
本発明１から７において、前記未反応物がチャーである場合、前記燃焼部は停止中のガス化部から取り出した前記チャーを燃焼させる装置にすることができる。
【発明の効果】
【００４７】
本発明のバイオマスからの液体燃料製造装置は、ガス圧縮装置、熱交換器を使用せず、ガス化に必要な熱量を少なくし、液体燃料合成工程での窒素、酸素、水蒸気、二酸化炭素等の濃度を低くしたので、簡素な構成になった。又、未反応物を再使用する形で同一装置内を循環させるようにして再処理するようにしたので、高い液体燃料の収率が得られることとなった。更に、ガス化炉を複数設ける構成にしたので複数のガス化炉を切り替えながら使用することで連続的な稼動となり、効率のよい装置となった。
【発明を実施するための最良の形態】
【００４８】
以下、図面に基いて、本発明のバイオマスからの液体燃料製造装置について詳細を述べる。
【００４９】
[第１の実施形態]
図１に本発明のバイオマスからの液体燃料製造装置の第１の実施形態を示す。バイオマスからの液体燃料製造装置の構成は、前述の手段の項で説明したとおりである。バイオマスＡは、バイオマスのガス化のためのガス化部２に投入される。このガス化部２は複数のガス化炉を有している。以降ガス化部２を第１系のガス化炉２ａに代表させて説明する。バイオマスＡの形態は細かい形状にした方が表面積が大きくなるのでガス化処理には有効である。
【００５０】
バイオマスＡは一定量保持される形でガス化炉２ａに装入される。この装入に際してはホッパー等の手段でもよいがその形式は問わない。バイオマスＡを一定量にすることは、ガス化以降の反応条件がほぼ一定になることを考慮し、安定したガス化処理とするためである。又後述するバッチ処理のためでもある。本実施形態の装置は、バッチ処理を可能とする構成となっている。バッチ処理は、前述のように一定量のバイオマスをガス化炉に投入し、決められた少ない量の窒素、二酸化炭素等を流通させガス化反応を行うことをいっているが、この定量的に準備された複数のガス化炉のバイオマスを選択的に且つ段階的に順次ガス化進行させるのである。
【００５１】
このガス化部２は、ダウンドラフト型固定床ガス化炉形式であり、ガス化炉２ａ内にガス化原料のバイオマスＡを充填し、プロセスフローガスとして少量の窒素、あるいは二酸化炭素が流通している。上部がバイオマスＡを装入しガス化するガス化炉２ａであり、下部はタールを分解する触媒の触媒収納部３ａとなっている。後述するガス化炉２ｂに対しては、触媒収納部３ｂとなる。バイオマスＡのガス化されたバイオマスガスはこの触媒収納部３ａを介してガス化炉２ａより排出される。
【００５２】
ここで、バイオマスＡが含む水分を含め、水蒸気とバイオマス内の炭素のモル比（［Ｈ２Ｏ]／[Ｃ]）が１までであれば熱交換器が不要である。このため少量の水蒸気を流通させることも可能である。このガス化工程は、この後の工程を含め同じ圧力に保たれている。この圧力は１〜５ＭＰａの範囲であり、途中に昇圧させる加圧装置はない。
【００５３】
ガス化炉２ａを外部から電気炉で加熱することで、バイオマスＡのガス化が進行する。ガス化工程の後は次のガス精製部４に接続している。ガス化温度は、ガス化温度が高いほどガス収率は高くなるが、１０００℃以上では高価な材質や特殊な構造のガス化炉形式が必要となるため、６００〜１０００℃が望ましい。さらに、ガス化温度が高い場合、バイオマス中の灰分が溶融し、ガス化炉内を閉塞する可能性があるため、７００〜８００℃が望ましい。
【００５４】
ガス化炉２ａ底部の触媒収納部３ａにはタールを分解する触媒として、ドロマイト、ＣａＯ、Ｎｉ系触媒、Ｒｈ系触媒等の触媒を充填することができる。例えば、ドロマイトは前述のようにカルシウムとマグネシウムを含んでおり、タール分解に適した物質である。ガス化されたバイオマスガスに含まれるタール分は、触媒収納部３ａのドロマイト上で分解される。
【００５５】
ガス化を促進させるためこのガス化炉２ａに隣接して燃焼部１が設けられている。この燃焼部１にはガス化炉２ａでガス化されなかった未反応物である未反応チャーが、ガス化炉２ａの稼動が停止した後に取り出されて点線Ｂで示すように燃焼部１に装入される。チャーの燃焼による燃焼熱が、ガス化炉２ａに対して補助的な加熱源として供給され、ガス化を促進する。
【００５６】
ガス化部２は複数系列具備されており、稼動中の例えば第１系のガス化炉２ａのガス生成量が減少すれば、系内が減圧し始める前に他の系統の例えば第２系のガス化炉２ｂに切り替え、ガス化処理のための運転を継続することができる。この切り替えのための切り替え部Ｃが設けられていて、必要とするガス化炉の選択に従い適宜切り替え制御される。従って、複数のガス化炉は選択的に順次稼動させることができる。この構成にすることで一連のガス化処理を停止することなく連続的に行うことができ、処理能率が向上する。
【００５７】
ガス化炉２ａから送り出されたガスは、バイオマスガスとしてガス精製部４に送り込まれる。このガス精製部４は、ガス化部２で発生したバイオマスガス中に含まれる粒子状物質、タール、硫黄化合物および窒素化合物を除去し、バイオマスガスを精製する装置である。このガス精製部４には、内部に脱塵用フィルター、タールを吸着させるための活性炭、木炭、砂等の吸着剤が充填されていて、ガス精製温度は２００〜９００℃に制御されている。
【００５８】
このガス精製部４は２系列有し、内部の吸着剤が破過する前に流路を切り替えられる構成になっている。例えばガス化部２からのバイオマスガスの流路が第１系のガス精製部４ａに接続されていたのを、吸着剤が破過する前に第２系のガス精製部４ｂに流路を切り替えるのである。図はその構成になっていて、切り替え手段４ｃにより流路を切り替えられるようにしている。
【００５９】
このような構成にすれば、切り替えにより停止した第１系のガス精製部４ａの破過直前の吸着剤を取り出し、新しい吸着剤を充填し待機させることができる。第２のガス精製部４ｂの吸着剤が破過直前になれば第１のガス精製部４ａに流路を再び切り替える。このことを繰り返し行えば、ガス精製工程を停止することなく連続的に進めることができる。
【００６０】
次にガス精製部４で精製されたバイオマス精製ガスは、液体化した液体燃料を製造するために液体燃料製造部５に送り込まれる。液体燃料製造工程は、ガス精製工程の送出口側に接続されていて精製されたバイオマス精製ガスを受け入れる。液体燃料製造工程では、望ましい液体燃料を製造するための触媒が充填されている。液体燃料がメタノールであればＣｕ−Ｚｎ系触媒であり、ジメチルエーテルは前記メタノール２分子を脱水した構造を有しているため、脱水用触媒としてγ−アルミナ触媒の添加が必要である。また、液体燃料がガソリン、灯油および軽油といった炭化水素系のものであればＦｅ、Ｃｏ、Ｒｕ系触媒を用いる。
【００６１】
このように触媒を変えることで各々の目的生成物を得ることができる。この液体燃料製造部５では、触媒反応により１００〜４００℃の温度で１〜５ＭＰａの圧力範囲で液体燃料を製造する。この製造された液体燃料は液体燃料原液として気液分離部６へ送り込まれる。液体燃料製造部５で製造した液体燃料原液は、水および軽質炭化水素等を含んでいる。このため、この気液分離部６で液体燃料精製液、水、軽質炭化水素、未反応ガス等に分離される。分離された水はこの工程で凝縮し気液分離部６外に排出される。
【００６２】
次にこの気液分離部６で分離された液体燃料精製液は減圧回収部７へ送り込まれる。この減圧回収部７では分離された液体燃料精製液を冷却し減圧する。減圧回収部７には減圧弁７ａが設けられていて、気液分離部７の送り出し口に接続している。水及び液体燃料は飽和蒸気圧曲線が異なり、冷却工程で沸点が高い物質から液体として系外に取り出すことができる。減圧弁７ａを介して取り出された液体燃料精製液が利用可能な正規の製品としての液体燃料７ｂであり、タンク等に回収される。
【００６３】
［第２の実施形態］
図２は本実施の形態に係るバイオマスからの液体燃料製造装置の第２の実施形態を示す図である。液体燃料製造工程において、１回の工程だけで処理ができない場合を考慮した実施形態である。液体燃料製造部５で液体化されなかった未反応ガスをこの液体燃料製造部５の受け入れ口に戻す流路５ａを設けたものである。この流路５ａを設けたことにより、バイオマス精製ガスをこの液体燃料製造部５に何回も流すことによって、未反応ガスを再使用の形で液体化させる。従って、バイオマス精製ガスを効率よく液体化させることができる。
【００６４】
［第３の実施形態］
図３は本実施の形態に係るバイオマスからの液体燃料製造装置の第３の実施形態を示す図である。バイオマス液体燃料原液を気液分離部６の冷却工程で液体燃料および水と分離された後、未反応ガスをガス化工程上流に流路６ａを介して戻すように構成した。これにより、未反応ガスを再度ガス化し、再度液体化処理を行い、再度気液分離処理を行うのである。このように本実施の形態はＣＯと水素に効率良く転換できるような構造を有している。
【００６５】
［第４の実施形態］
図４は本実施の形態に係るバイオマスからの液体燃料製造装置の第４の実施形態を示す図である。バイオマス液体燃料原液を気液分離部６の冷却工程で液体燃料および水と分離された後、未反応ガスを液体燃料製造工程上流に流路６ｂを介して戻すように構成した。これにより、未反応ガスを再度液体化処理を行い、再度気液分離処理を行う。
【００６６】
第２〜第４の実施形態例は、いずれも未反応物を同一装置内を循環させ再使用することにより、バイオマスを無駄なく有効に利用し、液体燃料の収率を高める例である。次にいずれの実施形態においても適用可能な他の実施形態を説明する。即ち、バイオマスからの液体燃料製造装置の下部に据え付け台８を設け、この据え付け台８を介して前記液体燃料製造装置を運搬できるようにした例と、バイオマスからの液体燃料製造装置の下部に移動台車９を設け、この移動台車９を介して前記液体燃料製造装置を移動できるようにした例である。
【００６７】
例えば、装置の下部の据え付け台８をクレーン等で持ち上げ液体燃料製造装置を所定位置に運搬することができる。又、装置の下部の移動台車９を人手又は動力で牽引することで液体燃料製造装置を所定位置に移動することができる。実施の形態を示す図は、移動台車９を設けた図にしているが、据え付け台８であってもよい。
【００６８】
以上、実施の形態例を種々説明したが、本発明はこれら実施形態例に限定されないことはいうまでもない。
【産業上の利用可能性】
【００６９】
本発明のバイオマスからの液体燃料製造装置、すなわち、再生可能なバイオマスから高効率に液体燃料を製造し、かつ経済性の高いプラントに関するものであるが、その原理を生かせる限り、他の分野、例えば、低質な石炭の利用分野に適用可能であり、その利用分野は広範囲に及ぶものである。
【図面の簡単な説明】
【００７０】
【図１】第１の実施形態に係るバイオマスからの液体燃料製造装置のブロック図である。
【図２】第２の実施形態に係るバイオマスからの液体燃料製造装置のブロック図である。
【図３】第３の実施形態に係るバイオマスからの液体燃料製造装置のブロック図である。
【図４】第４の実施形態に係るバイオマスからの液体燃料製造装置のブロック図である。
【符号の説明】
【００７１】
１．燃焼炉
２．ガス化部
３ａ、３ｂ．触媒収納部
４．ガス精製部
５．液体燃料製造部
５ａ．流路
６．気液分離部
６ａ、６ｂ．流路
７．減圧回収部
７ａ．減圧弁
７ｂ．液体燃料
８．据え付け台
９．移動台車
【図１】
0004644831.tif 000002
【図２】
0004644831.tif 000003
【図３】
0004644831.tif 000004
【図４】
0004644831.tif 000005